(57)【要約】      （修正有）【課題】写真印刷面に工夫を施すことにより、特にページ数が多い場合でも形が整った写真ブックを簡単に製作することができる様にした写真アルバムを提供する。【解決手段】写真ブックを構成する部材はシール状の台紙１０は、その表面に複数の同形状の写真画像が印刷された写真印刷面２０、３０を備えると共にその裏面に粘着面を備え、写真印刷面２０．３０を一体的に切り取って離型紙から剥がせるように切取線２１、３１が設けられ、写真印刷面２０、３０の一端部に裏表紙２２と背表紙２３と表表紙２４の順に連設された表紙部を形成し、写真印刷面２０、３０の表紙部及び写真画像をジャバラ状に折り畳んで裏面の粘着面同士を貼り合わせて冊子状の写真ブックを形成するように構成されている。【選択図】図１
0003163851.tif 000002
【実用新案登録請求の範囲】
【請求項１】
冊子状の写真ブックとアルバムカバーとからなる写真アルバムにおいて、前記写真ブックを構成する部材はシール状の台紙と離型紙とからなり、前記台紙は、その表面に複数の同形状の写真画像が印刷された写真印刷面を備えると共にその裏面に粘着面を備え、前記写真印刷面を一体的に切り取って前記離型紙から剥がせるように切取線が設けられ、前記写真印刷面の一端部に裏表紙と背表紙と表表紙の順に連設された表紙部を形成し、前記写真印刷面の前記表紙部及び前記写真画像をジャバラ状に折り畳んで裏面の粘着面同士を貼り合わせて冊子状の写真ブックを形成するように構成されており、前記アルバムカバーに設けた一対の内側ポケットに前記表紙部の表表紙と裏表紙を差し込むことを特徴とする写真アルバム。
【請求項２】
前記台紙に複数の同形状の写真画像が印刷された写真印刷面を複数段に備えると共にその裏面に粘着面を備え、前記各写真印刷面をそれぞれ一体的に切り取って前記離型紙から剥がせるように切取線が設けられ、前記写真印刷面のいずれか１つの一端部に裏表紙と背表紙と表表紙の順に連設された表紙部を形成し、前記写真印刷面の前記表紙部及び前記写真画像をジャバラ状に折り畳んで裏面の粘着面同士を貼り合わせると共に前記各写真印刷面の端部同士を貼りわせて冊子状の写真ブックを形成するように構成されていることを特徴とする請求項１に記載の写真アルバム。
【請求項３】
前記台紙に複数の同形状の写真画像が印刷された写真印刷面を上下２段に備えると共に、前記上段の写真印刷面は前記表紙部の表表紙と裏表紙の２枚の写真画像とその他８枚の写真画像を有し、前記下段の写真印刷面は１０枚の写真画像を有し、前記写真印刷面の前記表紙部及び前記写真画像をジャバラ状に折り畳んで裏面の粘着面同士を貼り合わせると共に前記各写真印刷面の端部同士を貼りわせて前記表紙部を含めて２０枚の写真画像からなる冊子状の写真ブックを形成し、前記アルバムカバーは透明カバーシートにより構成されていることを特徴とする請求項２に記載の写真アルバム。
【考案の詳細な説明】
【技術分野】
【０００１】
本発明は、写真印刷面の写真画像を貼り合わせて製作する冊子状の写真ブックとアルバムカバーとからなる写真アルバムに関する。
【背景技術】
【０００２】
従来の写真アルバムとしては、例えば、個人で製作できるようにした冊子状の写真ブックを構成する部材はシール状の台紙と離型紙とからなり、台紙はその表面に複数の写真画像が印刷された写真印刷面を備えると共にその裏面に粘着面を備え、写真画像を個々に切り取って離型紙から剥がせるように切取線が設けられ、各写真画像をそれぞれ切り取った後に折り曲げて裏面の粘着面同士を貼り合わせて冊子状の写真ブックを形成するように構成されているものが知られている。
しかし、上記のような写真アルバムを製作するには、写真画像を個々に切り取る必要があることに加えて、写真画像を折り曲げて裏面位置を合わせながら粘着面同士を貼り合わせる煩雑な作業を要する。
【０００３】
また、特許文献１（実用新案登録第３１５４７１５号公報）には、簡単に所望の大きさの写真アルバムを作成できる印刷用はくり紙を提供するとを目的として、表面がプリンタで写真や文字等をプリントできる印刷面であり、裏面が粘着面であるシール紙と、前記シール紙の粘着面が貼着された離型紙とを備え、前記シール紙は、印刷領域と切除領域との境界が予め切断されて印刷領域が切除領域から切り離して離型紙から剥がせるように形成され、前記離型紙から剥がし取られた印刷領域は、冊子状に複数のページ部が形成されるようにジャバラ状に折り畳んで裏面の粘着面同士を貼り合わせ可能に構成され、かつ、前記粘着面が繰り返し剥がして貼り合わせ可能な弱粘着剤により形成されていることを特徴とする「印刷用はくり紙及びカバー」の考案が開示されている。
【先行技術文献】
【特許文献】
【０００４】
【特許文献１】実用新案登録第３１５４７１５号公報
【考案の概要】
【考案が解決しようとする課題】
【０００５】
本考案は、仕上がりの美しい冊子状の写真ブックを簡単に製作できるように写真印刷面に工夫を施すことにより、特にページ数が多い場合でも形が整った写真ブックを簡単に製作することができる冊子状の写真ブックとアルバムカバーとからなる写真アルバムを提供することを目的とする。
【課題を解決するための手段】
【０００６】
上記の課題を解決するために、請求項１に記載の考案は、冊子状の写真ブックとアルバムカバーとからなる写真アルバムにおいて、前記写真ブックを構成する部材はシール状の台紙と離型紙とからなり、前記台紙は、その表面に複数の同形状の写真画像が印刷された写真印刷面を備えると共にその裏面に粘着面を備え、前記写真印刷面を一体的に切り取って前記離型紙から剥がせるように切取線が設けられ、前記写真印刷面の一端部に裏表紙と背表紙と表表紙の順に連設された表紙部を形成し、前記写真印刷面の前記表紙部及び前記写真画像をジャバラ状に折り畳んで裏面の粘着面同士を貼り合わせて冊子状の写真ブックを形成するように構成されており、前記アルバムカバーに設けた一対の内側ポケットに前記表紙部の表表紙と裏表紙を差し込むことを特徴とする。
【０００７】
また、請求項２に記載の考案は、請求項１に記載の前記台紙に複数の同形状の写真画像が印刷された写真印刷面を複数段に備えると共にその裏面に粘着面を備え、前記各写真印刷面をそれぞれ一体的に切り取って前記離型紙から剥がせるように切取線が設けられ、前記写真印刷面のいずれか１つの一端部に裏表紙と背表紙と表表紙の順に連設された表紙部を形成し、前記写真印刷面の前記表紙部及び前記写真画像をジャバラ状に折り畳んで裏面の粘着面同士を貼り合わせると共に前記各写真印刷面の端部同士を貼りわせて冊子状の写真ブックを形成するように構成されていることを特徴とする。
【０００８】
また、請求項３に記載の考案は、請求項２に記載の前記台紙に複数の同形状の写真画像が印刷された写真印刷面を上下２段に備えると共に、前記上段の写真印刷面は前記表紙部の表表紙と裏表紙の２枚の写真画像とその他８枚の写真画像を有し、前記下段の写真印刷面は１０枚の写真画像を有し、前記写真印刷面の前記表紙部及び前記写真画像をジャバラ状に折り畳んで裏面の粘着面同士を貼り合わせると共に前記各写真印刷面の端部同士を貼りわせて前記表紙部を含めて２０枚の写真画像からなる冊子状の写真ブックを形成し、前記アルバムカバーは透明カバーシートにより構成されていることを特徴とする
【考案の効果】
【０００９】
以上のように、本考案によれば、写真印刷面の一端部に裏表紙と背表紙と表表紙の順に連設された表紙部を形成し、写真印刷面を一体的に切り取ってジャバラ状に折り畳んで裏面を貼り合わせて冊子状の写真ブックを形成するようにしたので、特にページ数が多い場合でも仕上がりの美しい冊子状の写真ブックを簡単に製作することができる。
【図面の簡単な説明】
【００１０】
【図１】写真ブックを構成する部材の一例を示す平面図である。
【図２】写真印刷面を折り畳む状態を示す図である。
【図３】写真印刷面の裏面を貼り合わせる状態を示す図である。
【図４】冊子状の写真ブックを形成する状態を示す図である。
【図５】アルバムカバーに冊子状の写真ブックを取り付ける状態を示す図である。
【考案を実施するための形態】
【００１１】
以下、本考案の実施の形態について図面を参酌しながら説明する。
なお、本考案にかかる写真アルバムは、以下の実施例に限定されるものではなく、内容及び形態等は使用状況によって適宜変更することができる。
【００１２】
図１は、写真ブックを構成する部材の一例を示す平面図である。
写真ブックを構成する部材は、図１に示すようにシール状の台紙１０とその裏面の粘着面が貼り合わされる離型紙（図示省略）とからなる。
台紙１０には、その表面に複数の同形状の写真画像が印刷された写真印刷面２０、３０が形成されており、その裏面に粘着面（図示省略）を有している。
また、台紙１０には、写真印刷面２０．３０を一体的に切り取って離型紙（図示省略）から剥がせるように切取線２１、３１が設けられている。
写真印刷面２０の一端部には、図１に示すように裏表紙２２と背表紙２３と表表紙２４の順に連設された表紙部が形成されている。
ここで、本実施例では、台紙１０に写真印刷面２０、３０が上下２段に形成され、上段の写真印刷面２０は表紙部の表表紙２４と裏表紙２２の２枚の写真画像とその他８枚の写真画像を有し、下段の写真印刷面３０は１０枚の写真画像を有している例を挙げて説明するが、写真印刷面の段数又は写真画像の枚数は任意の数を採用することができる。
次に、本考案にかかる写真アルバムの作り方について、図２乃至図５に基づき説明する。
上下２段の写真印刷面２０、３０を一体的に切り取って離型紙から剥がした後、図２に示すように各写真画像の境界線に従って山折りａと谷折りｂを交互に繰り返してジャバラ状に折り畳み、図３に示すように裏面の粘着面同士（図中の矢印部分のみ）を貼り合わせる。
そして、図４に示すように写真印刷面２０の最後に位置する写真画像２６の粘着面と写真印刷面３０の最初に位置する写真画像３２の粘着面とを貼り合わせた後、写真印刷面２０の裏表紙２２の粘着面と写真印刷面３０の最後に位置する写真画像３３の粘着面と貼り合わせることにより、表紙部を含めて２０枚の写真画像からなる冊子状の写真ブックを形成できる。
図５に示すように、アルバムカバー４０には一対の内側ポケット４２ａ、４２ｂが設けられており、冊子状の写真ブックの表紙部を差し込むと写真アルバムが完成する。アルバムカバー４０を透明カバーシートにより構成することにより、写真画像が表紙となって現れる写真アルバムを製作できる。
【００１３】
本考案にかかる写真アルバムは、所望の大きさに形成することができる。例えば、携帯電話のストラップに用いられる大きさに形成する場合、表紙部を含めて２０枚の写真アルバムのサイズは、Ｗ３３ｍｍ、Ｈ４１ｍｍ、Ｄ８ｍｍ（アルバムカバー仕上りサイズ）に設定することができる。
また、本考案にかかる写真アルバムの用途としては、例えば、プロ野球の選手又はＪリーグの選手などの写真画像を集めた写真アルバムとして利用することができる。
【符号の説明】
【００１４】
１０  台紙
２０  写真印刷面
２１  切取線
２２  裏表紙
２３  背表紙
２４  表表紙
２５  写真画像
２６  写真画像
３０  写真印刷面
３１  切取線
３２  写真画像
３３  写真画像
４０  アルバムカバー
４１  背表紙部
４２  内側ポケット
【図１】
0003163851.tif 000003
【図２】
0003163851.tif 000004
【図３】
0003163851.tif 000005
【図４】
0003163851.tif 000006
【図５】
0003163851.tif 000007